【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
第１色のカラーフィルタを備える、複数行および複数列に渡って配された複数の第１画素と、
前記第１色とは別の色である第２色のカラーフィルタを備える、複数行および複数列に渡って配された複数の第２画素とを有する第１チップと、
第１ＡＤ変換部と第２ＡＤ変換部とを有する第２チップと、
前記複数列のうちの第１列に配される前記複数の第１画素が接続された第１信号線と、
前記複数列のうちの第２列に配される前記複数の第２画素が接続された第２信号線と、
前記複数列のうちの第３列に配される前記複数の第１画素が接続された第３信号線と、
前記複数列のうちの第４列に配される前記複数の第２画素が接続された第４信号線とを有し、
前記第１信号線と前記第３信号線とが第１ＡＤ変換部に接続され、
前記第２信号線と前記第４信号線とが第２ＡＤ変換部に接続されることを特徴とする撮像装置。
【請求項２】
第１色のカラーフィルタを備える、複数行および複数列に渡って配された複数の第１画素と、
前記第１色とは別の色である第２色のカラーフィルタを備える、複数行および複数列に渡って配された複数の第２画素と、
前記複数列のうちの第１列に配される前記複数の第１画素が接続された第１信号線と、
前記複数列のうちの第２列に配される前記複数の第２画素が接続された第２信号線と、
前記複数列のうちの第３列に配される前記複数の第１画素が接続された第３信号線と、
前記複数列のうちの第４列に配される前記複数の第２画素が接続された第４信号線と、
前記第１信号線が接続される第１接続部と、
前記第２信号線が接続される第２接続部と、
前記第３信号線が接続される第３接続部と、
前記第４信号線が接続される第４接続部と
を有する第１チップと、
第１ＡＤ変換部と、
第２ＡＤ変換部と、
前記第１ＡＤ変換部にそれぞれ接続される、第５接続部および第６接続部と、
前記第２ＡＤ変換部にそれぞれ接続される、第７接続部および第８接続部と、
を有する第２チップとを有し、
前記第１接続部と前記第５接続部が接続され、
前記第３接続部と前記第６接続部が接続され、
前記第２接続部と前記第７接続部が接続され、
前記第４接続部と前記第８接続部が接続されることを特徴とする撮像装置。
【請求項３】
平面視において、前記第１接続部、前記第５接続部は前記第１ＡＤ変換部と重なっており、
平面視において、前記第２接続部、前記第７接続部は前記第２ＡＤ変換部と重なっていることを特徴とする請求項２に記載の撮像装置。
【請求項４】
前記複数の第１画素と、前記第１信号線と、前記第１接続部とを各々が備える複数の第１組と、
前記複数の第２画素と、前記第２信号線と、前記第２接続部とを各々が備える複数の第２組とを前記第１チップが有し、
前記第５接続部と前記第６接続部が接続される入力部および前記第１ＡＤ変換部に接続される出力部を有する第１選択部と、前記第７接続部と前記第８接続部が接続される入力部および前記第２ＡＤ変換部に接続される出力部を有する第２選択部とを前記第２チップが有することを特徴とする請求項２または３に記載の撮像装置。
【請求項５】
前記第１選択部と前記第２選択部の各々が、マルチプレックス回路であることを特徴とする請求項４に記載の撮像装置。
【請求項６】
平面視において、前記複数の第１画素と前記複数の第２画素とが前記第１ＡＤ変換部と重なることを特徴とする請求項１〜５のいずれか１項に記載の撮像装置。
【請求項７】
前記第１ＡＤ変換部と、前記第２ＡＤ変換部のそれぞれが、逐次比較型のＡＤ変換器であることを特徴とする請求項１〜６のいずれか１項に記載の撮像装置。
【請求項８】
前記第１ＡＤ変換部と、前記第２ＡＤ変換部のそれぞれが、ランプ信号と画素が出力する信号とを比較する比較器を備えることを特徴とする請求項１〜６のいずれか１項に記載の撮像装置。
【請求項９】
前記第１色のカラーフィルタと、前記第２色のカラーフィルタとの透過率のピーク波長が異なることを特徴とする請求項１〜８のいずれか１項に記載の撮像装置。
【請求項１０】
前記複数の第１画素と前記複数の第２画素のそれぞれは、光電変換部と、前記光電変換部の電荷に基づく信号を出力する増幅トランジスタとを有し、
第１チップは、前記複数の第１画素と前記複数の第２画素のそれぞれが接続される第１配線を有し、
第２チップは、電流源と前記電流源に接続される第２配線を有し、
前記電流源は、前記第２配線、前記第１配線を介して前記増幅トランジスタに電流を供給することを特徴とする請求項１〜９のいずれか１項に記載の撮像装置。
【請求項１１】
請求項１〜１０のいずれか１項に記載の撮像装置と、
前記撮像装置が出力する信号を処理することによって画像を生成する信号処理部とを有することを特徴とする撮像システム。
【請求項１２】
請求項１〜１０のいずれか１項に記載の撮像装置と、
前記撮像装置からの信号に基づく視差画像から、対象物までの距離情報を取得する距離情報取得手段と、を有する移動体であって、
前記距離情報に基づいて前記移動体を制御する制御手段をさらに有することを特徴とする移動体。
【請求項１３】
画素チップと回路チップとを積層した撮像装置のための回路チップであって、
前記画素チップは、
第１色のカラーフィルタを備える、複数行および複数列に渡って配された複数の第１画素と、
前記第１色とは別の色である第２色のカラーフィルタを備える、複数行および複数列に渡って配された複数の第２画素と、
前記複数列のうちの第１列に配される前記複数の第１画素が接続された第１信号線と、
前記複数列のうちの第２列に配される前記複数の第２画素が接続された第２信号線と、
前記複数列のうちの第３列に配される前記複数の第１画素が接続された第３信号線と、
前記複数列のうちの第４列に配される前記複数の第２画素が接続された第４信号線と、
前記第１信号線が接続される第１接続部と、
前記第２信号線が接続される第２接続部と、
前記第３信号線が接続される第３接続部と、
前記第４信号線が接続される第４接続部とを備えた構成であり、
前記回路チップは、
第１ＡＤ変換部と、
第２ＡＤ変換部と、
前記第１ＡＤ変換部にそれぞれ接続される、第５接続部および第６接続部と、
前記第２ＡＤ変換部にそれぞれ接続される、第７接続部および第８接続部と、
を有し、
前記第５接続部は前記第１接続部と接続するための接続部であり、
前記第６接続部は前記第３接続部と接続するための接続部であり、
前記第７接続部は前記第２接続部と接続するための接続部であり、
前記第８接続部は前記第４接続部と接続するための接続部であることを特徴とする回路チップ。
【請求項１４】
さらに第１選択部と第２選択部を備え、
前記第１選択部は、前記第５接続部と前記第６接続部の一方を選択して前記第１ＡＤ変換部に接続し、
前記第２選択部は、前記第７接続部と前記第８接続部の一方を選択して前記第２ＡＤ変換部に接続することを特徴とする請求項１３に記載の回路チップ。
【請求項１５】
前記第１選択部と前記第２選択部の各々が、マルチプレックス回路であることを特徴とする請求項１４に記載の回路チップ。
【手続補正２】
【補正対象書類名】明細書
【補正対象項目名】０００６
【補正方法】変更
【補正の内容】
【０００６】
本発明は上記の課題を鑑みて為されたものであり、一の態様は、第１色のカラーフィルタを備える、複数行および複数列に渡って配された複数の第１画素と、前記第１色とは別の色である第２色のカラーフィルタを備える、複数行および複数列に渡って配された複数の第２画素とを有する第１チップと、第１ＡＤ変換部と第２ＡＤ変換部とを有する第２チップと、前記複数列のうちの第１列に配される前記複数の第１画素が接続された第１信号線と、前記複数列のうちの第２列に配される前記複数の第２画素が接続された第２信号線と、前記複数列のうちの第３列に配される前記複数の第１画素が接続された第３信号線と、前記複数列のうちの第４列に配される前記複数の第２画素が接続された第４信号線とを有し、前記第１信号線と前記第３信号線とが第１ＡＤ変換部に接続され、前記第２信号線と前記第４信号線とが第２ＡＤ変換部に接続されることを特徴とする撮像装置である。